(57)【要約】      （修正有）【課題】ガラスカレット独特の意匠性を備えるとともに表面に凹凸状の模様を有するガラスパネルを、最小限の製造工程によって製造することができるガラスパネルの製造方法、ガラスパネル、ガラスパネルの支持部材、及びガラスパネルの支持方法を提供する。【解決手段】ガラスカレット２０を型枠内に集積し、該ガラスカレット２０を加熱処理することにより溶着一体化してガラスパネル１０を得る製造方法において、前記型枠の底面の凹凸形状を転写して、一方面が凹凸状であるガラスパネルを製造する。また、ガラスパネル１０の支持部材によれば、ガラスパネル１０の表面１２の凹凸状の凹条部１６に嵌合する一方の挟持部材と、ガラスパネル１０の裏面１８の平坦部に当接する他方の挟持部材とを有しているので、ガラスパネル１０を下地構造体に安定して支持することができる。【選択図】図２
2010120794.tif 000002
【特許請求の範囲】
【請求項１】
ガラスカレットを型枠内に集積し、該ガラスカレットを加熱処理することにより溶着一体化してガラスパネルを得るガラスパネルの製造方法において、
前記型枠の底面はその断面が凸部及び凹部を有する凹凸形状に形成され、前記ガラスカレットを溶着一体化してガラスパネルを得る過程においてガラスパネルの一方面に前記凹凸形状を転写することにより、一方面が凹凸状であるガラスパネルを製造することを特徴とするガラスパネルの製造方法。
【請求項２】
請求項１に記載のガラスパネルの製造方法で得られたガラスパネル。
【請求項３】
請求項２に記載のガラスパネルを、壁面又は下地構造体に設けられた受け部材に支持させるためのガラスパネルの支持部材において、
前記ガラスパネルの端部からガラスパネルの面方向に差し込まれる一対の挟持部材からなり、一方の挟持部材は、ガラスパネルの一方面の凹凸状の凹部に嵌合する嵌合部材によって構成され、他方の挟持部材は、前記ガラスパネルの他方面に当接される当接部材によって構成され、前記受け部材に固定される固定部が前記当接部材に設けられていることを特徴とするガラスパネルの支持部材。
【請求項４】
請求項２に記載のガラスパネルを、壁面又は下地構造体に設けられた受け部材に支持させるガラスパネルの支持方法において、
前記ガラスパネルの端部からガラスパネルの面方向に差し込まれる一対の挟持部材からなる支持部材を使用し、一方の挟持部材である嵌合部材を、ガラスパネルの一方面の凹凸状の凹部に嵌合し、他方の挟持部材である当接部材を、前記ガラスパネルの他方面に当接し、前記当接部材に設けられた固定部を前記受け部材に固定することを特徴とするガラスパネルの支持方法。
【発明の詳細な説明】
【技術分野】
【０００１】
本発明はガラスパネルの製造方法、ガラスパネル、ガラスパネルの支持部材、及びガラスパネルの支持方法に係り、特にガラスカレットによって製造されるガラスパネルの製造方法、ガラスパネル、ガラスパネルの支持部材、及びガラスパネルの支持方法に関する。
【背景技術】
【０００２】
ガラスカレットを利用し、これを再加熱することにより溶着一体化して、天然石模様のガラスパネルを製造する技術が特許文献１に開示されている。このガラスパネルは、粒径５６００μｍ以下の結晶性ガラス粒と非晶質ガラスからなるカレットであって、重量比（カレット／結晶性ガラス粒）１．５以上４以下のカレットを型枠に集積し、これを９００℃以上１０００℃以下の温度で加熱して結晶化させることにより製造される。
【０００３】
また、特許文献２には、ガラスカレットを加熱して軟化融着させることにより板状のプレ成形物を製造し、このプレ成形物を型上又は型内で加熱することにより、最終形状に成形してなるガラスパネルを製造する技術が開示されている。
【０００４】
一方、非特許文献１には、一定の大きさに砕いたガラス片を、適切な間隔に配置し、これを再加熱して一体化した後、両面を研削、研磨して透明な部分と不透明な部分とを一枚のガラスの中に混在させたガラスパネルが公開されている。そして、このガラスパネルは、非特許文献２に公開されているように、ビードベール（株式会社ビー：商品名）と言う名称で商品化されている。
【特許文献１】特開２００２−２２６２２４号公報
【特許文献２】特開２００５−６７９４８号公報
【非特許文献１】日経アーキテクチャー（２００７年４月２３号：大阪市立大学高松記念館参照）
【非特許文献２】株式会社ビー（書品名：ビードベール）  ｈｔｔｐ／／ｗｗｗ．ｂｅｄｅｖｅｒｒｅ．ｃｏｍ
【発明の開示】
【発明が解決しようとする課題】
【０００５】
しかしながら、特許文献１は、天然石模様の装飾ガラスパネルを得るために、結晶性ガラス粒と非晶質ガラスからなるカレットの粒径、重量比を管理しなければならず非常に手間がかかり、また、製造されたガラスカレットの表面にはカレット溶着独特の凸凹面が存在するため、これを天然石模様に見せるためには表面研磨を行わなければならず、製造コストが増大するという欠点があった。
【０００６】
また、特許文献２のガラスパネルの製造方法は、ガラスカレットによって板状のプレ成形物を一旦製造し、これを型上又は型内で加熱して最終形状に成形してなるガラスパネルを製造するものなので、製造工程が２工程となり製造コストが増大するという欠点があった。
【０００７】
一方、非特許文献１、２のガラスパネルは、透明な部分と不透明な部分とが混在するため、独特の視覚効果が得られるが、透明な部分を得るためには、カレットを適切な寸法の大きさに切断しなければならず、これもまたカレットの管理に手間がかかるという欠点があった。また、このガラスパネルは、両面を研削、研磨してフラットな面に透明性を持たせているため、製造コストが増大するという欠点があった。
【０００８】
本発明は、このような事情に鑑みてなされたもので、ガラスカレット独特の意匠性を備えるとともに表面に凹凸状の模様を有するガラスパネルを、最小限の製造工程によって製造することができるガラスパネルの製造方法とそのガラスパネルを提供することを目的とし、また、そのガラスパネルを壁面又は下地構造体に安定して支持することができるガラスパネルの支持部材、及びガラスパネルの支持方法を提供することを目的とする。
【課題を解決するための手段】
【０００９】
本発明は、前記目的を達成するために、ガラスカレットを型枠内に集積し、該ガラスカレットを加熱処理することにより溶着一体化してガラスパネルを得るガラスパネルの製造方法において、前記型枠の底面はその断面が凸部及び凹部を有する凹凸形状に形成され、前記ガラスカレットを溶着一体化してガラスパネルを得る過程においてガラスパネルの一方面に前記凹凸形状を転写することにより、一方面が凹凸状であるガラスパネルを製造することを特徴とするガラスパネルの製造方法を提供する。
【００１０】
本発明のガラスパネルの製造方法によれば、型枠の底面にガラスカレットを敷き詰めて集積し、ガラスカレットを溶着一体化してガラスパネルを得る過程において、ガラスパネルの一方面に、型枠底面の凸部及び凹部を転写することにより、一方面が凹凸状であるガラスパネルを製造することができる。
【００１１】
したがって、本発明によれば、ガラスカレットを溶着一体化させる一つの製造工程によって、ガラスカレット独特の意匠性を備えるとともに表面に凹凸状の模様を有するガラスパネルを製造することができる。
【００１２】
本発明は、前記目的を達成するために、請求項１に記載のガラスパネルの製造方法で得られたガラスパネルを提供する。
【００１３】
本発明のガラスパネルは、一方面が凹凸状であり、その凹凸状を視覚的に強調するため透明性を要しない。このため、サイズの小さな不揃いなガラスカレットを使用することができ、かつ、建築用途以外のカレット、例えば自動車用、パチンコ台、食器用、蛍光管用、家庭電化製品用等の各種のカレットを利用することができる。したがって、本発明のガラスパネルは、リサイクル性が高く、また、研削、研磨が不要のためコストダウンを図ることができる。更に、各種のガラスカレットを使用することにより、各種のガラスカレットが持つ特質（色、カレット模様）により、今までに無い斬新な意匠性も得ることができる。本発明のガラスパネルは、壁材等の内装用建材、中低層建造物の外装用建材、光壁、標識、サイン等として好適である。
【００１４】
本発明は、前記目的を達成するために、請求項２に記載のガラスパネルを、壁面又は下地構造体に設けられた受け部材に支持させるためのガラスパネルの支持部材において、前記ガラスパネルの端部からガラスパネルの面方向に差し込まれる一対の挟持部材からなり、一方の挟持部材は、ガラスパネルの一方面の凹凸状の凹部に嵌合する嵌合部材によって構成され、他方の挟持部材は、前記ガラスパネルの他方面に当接される当接部材によって構成され、前記受け部材に固定される固定部が前記当接部材に設けられていることを特徴とするガラスパネルの支持部材を提供する。
【００１５】
本発明は、前記目的を達成するために、請求項２に記載のガラスパネルを、壁面又は下地構造体に設けられた受け部材に支持させるガラスパネルの支持方法において、前記ガラスパネルの端部からガラスパネルの面方向に差し込まれる一対の挟持部材からなる支持部材を使用し、一方の挟持部材である嵌合部材を、ガラスパネルの一方面の凹凸状の凹部に嵌合し、他方の挟持部材である当接部材を、前記ガラスパネルの他方面に当接し、前記当接部材に設けられた固定部を前記受け部材に固定することを特徴とするガラスパネルの支持方法を提供する。
【００１６】
本発明によれば、ガラスパネルの端部からガラスパネルの面方向に支持部材を差し込むと、一方の挟持部材である嵌合部材が、ガラスパネルの一方面の凹凸状の凹部に嵌合し、他方の挟持部材である当接部材が、ガラスパネルの他方面の平坦部に当接する。これにより、支持部材は、ガラスパネルに対し位置ずれすることなく取り付けられる。そして、当接部材に設けられている固定部材を、壁面又は下地構造体に設けられた受け部材に支持させる。したがって、本発明の支持部材、及び支持方法によれば、ガラスパネルを壁面又は下地構造体に安定して支持することができる。
【発明の効果】
【００１７】
以上説明したように本発明のガラスパネルの製造方法、及びガラスパネルによれば、ガラスカレットを溶着一体化させる一つの製造工程によって、ガラスカレット独特の意匠性を備えるとともに表面に凹凸状の模様を有するガラスパネルを製造することができる。これにより、本発明のガラスパネルによれば、従来の研磨品のガラスパネルに対して、製品コストを約半分に削減することができる。
【００１８】
また、本発明のガラスパネルの支持部材、及びガラスパネルの支持方法によれば、ガラスパネルの一方面の凹凸状の凹部に嵌合する一方の挟持部材と、ガラスパネルの他方面に当接する他方の当接部材とを有しているので、ガラスパネルを壁面又は下地構造体に安定して支持することができる。
【発明を実施するための最良の形態】
【００１９】
以下、添付図面に従って本発明に係るガラスパネルの製造方法、ガラスパネル、ガラスパネルの支持部材、及びガラスパネルの支持方法の好ましい実施の形態について説明する。
【００２０】
図１は、実施の形態のガラスパネル１０の斜視図が示されている。このガラスパネル１０は、ガラスカレットを溶着一体化させることにより矩形状に製造されたものである。このガラスパネル１０の表面（一方面）１２は凹凸状に形成され、この凹凸状は、多数の凸条部１４と凹条部１６とを等間隔のピッチで規則的に繰り返すことにより形成される。また、ガラスパネル１０の裏面（他方面）１８はフラットに形成される。なお、裏面１８の形状はフラットに限定されるものではないが、製造の容易性、施工時の固定し易さ等の観点から、平坦であるのが好ましい。更に、このガラスパネル１０は、大小様々なサイズの多数のガラスカレット２０、２０…が透過して見える、ガラスカレット製独特の意匠性を有するガラスパネルとなっている。なお、図１では、ガラスカレット２０、２０をガラスパネル１０の一部にのみ模式的に描いているが、ガラスカレット２０、２０…はガラスパネル１０全体に存在しているものである。また、この透けて見えるガラスカレット２０は、溶着前のガラスカレット２０が完全には溶解しないため目視によりその輪郭形状が確認できるものである。
【００２１】
図２（Ａ）、（Ｂ）、（Ｃ）は、ガラスパネル１０の製造過程を経時的に示した説明図である。
【００２２】
まず、図２（Ａ）に示すように、上部が開放された箱型形状の型枠２２内にガラスカレット２０、２０…を敷き詰めて集積する。この型枠２２の底面２４には図２（Ｂ）に示すように、多数の凸条部２６と凹条部２８とが等間隔のピッチで規則的に繰り返された凹凸状に形成されている。
【００２３】
次に、ガラスカレット２０、２０…を型枠２２とともに加熱し、ガラスカレット２０、２０…を溶着一体化させて図２（Ｃ）で示すガラスパネル１０を製造する。その製造方法としては、型枠２２をローラ搬送式の加熱炉内で搬送させながら、この加熱炉の前段においてガラスカレット２０、２０…を所定の温度に予熱する。そして、加熱炉の中段においてガラスカレット２０、２０…を９００℃〜１０００℃の範囲で本加熱する。この本加熱時にガラスカレット２０、２０…が溶着一体化されてガラスパネル１０に製造される。そして、溶着一体化されたガラスパネル１０は、加熱炉の後段において所定の温度で徐冷され、この後、加熱炉から取り出される。加熱炉から取り出されたガラスパネル１０は型枠２２と分離され、これによって図１及び図２（Ｃ）で示したガラスパネル１０が製造される。すなわち、型枠２２の多数の凸条部２６と凹条部２８とが、ガラスパネル１０の表面１２に転写されて、その表面１２に多数の凸条部１４と凹条部１６とが規則的に形成され、その裏面１８がフラットなガラスパネル１０が製造される。
【００２４】
なお、ガラスパネル１０と型枠２２との分離を容易にするために、型枠２２の底面２４に、アルミナ等の離型材を予め塗布しておくことが好ましい。また、型枠２２の材質は、１０００℃以上の高温に耐え得ることができる耐熱煉瓦、耐熱鋼製、又はセラミックス製であることが好ましい。
【００２５】
このように実施の形態では、ガラスカレット２０、２０…を溶着一体化させる一つの製造工程によって、ガラスカレット独特の意匠性を備えるとともに表面１２に凹凸状の模様を有するガラスパネル１０を製造することができる。
【００２６】
また、製造されたガラスパネル１０は、ガラスカレット２０、２０…が透けて見えるカレット溶着ガラスとなるので、ガラスカレット独特の意匠性を持つガラスパネルとなる。ガラスカレット２０、２０…として多色のものを使用することにより、ステンドグラスに似せることができる。
【００２７】
また、実施の形態のガラスパネル１０は表面１２が凹凸状であり、その凹凸状を視覚的に強調するため透明性を要しない。このため、サイズの小さな不揃いなガラスカレット２０、２０…を使用することができる。更に、凸凹面のため、光の反射の具合も異なり、意匠性を向上させている。また、建築用途以外のガラスカレット、例えば自動車用、パチンコ台、食器用、蛍光管用、家庭電化製品用等の各種のガラスカレットを利用することができる。これらのガラスカレットのうち、特にパチンコ台に使用されているガラス、蛍光管に使用されているガラスが好適であるが、これらのガラスカレットを使用することで、凸凹面を有するガラスパネル表面側からの光に対して、玉虫色の反射光を有するものを、製造することができる。これらは、ガラスカレットの材料と、凸凹面を有する構成とを組み合わせることで得られる特徴のひとつである。他方、裏面からの照明に対しては、このガラスパネルは全く違う表情を示す。即ち、玉虫色の反射は起らず、ガラスカレットの持つ、大きさ・形状が、柄模様としてだけ浮かび上がる光壁となる。
【００２８】
なお、建築用のガラスでも、例えば、建て替えの際に生じた古いガラスを、再生利用することも可能となる。疵、泡、汚れ等の欠点があっても、実施の形態の製造工程を経ることで、リサイクルすることが可能となる。
【００２９】
したがって、実施の形態のガラスパネル１０は、リサイクル性が高く、また、研削、研磨が不要のためコストダウンを図ることができる。また、各種のガラスカレットを利用できるので、各ガラス素材特有の色調を得ることができ、斬新な意匠性を得ることができる。更に、カレットの大きさを調整することで、各種の模様を得ることも可能となる。更にまた、実施の形態のガラスパネル１０は、透明性は発揮できないが、ガラスパネル１０の平坦な背面（裏面１８）側から光を当てることで、前記色やカレット独特の模様が浮き出るため、独特の意匠性を得ることもできる。
【００３０】
なお、ガラスパネル１０の凹条部１６の深さは、上述したガラスパネル１０の意匠性を得るために、その最小の深さは１ｍｍ程度であり、また、ガラスパネル１０の強度維持の点から考慮すると、ガラス最大板厚（８〜３０ｍｍ）の１／３程度が好ましい。例えば、凹条部１６の深さを、ガラス板厚の１／２まで掘り込むと、ガラスパネル１０の強度が極端に低下するおそれがあるからである。
【００３１】
また、凸条部１４と凸条部１４とのピッチ、及び凹条部１６と凹条部１６とのピッチは、意匠性を考慮して５〜３０ｍｍであることが好ましい。このピッチは、全てにおいて等間隔でなくてもよい。上記ピッチの範囲内において、ピッチを適宜変更することにより、更なる意匠性の高いガラスパネル１０を得ることができる。
【００３２】
図３は、他の実施の形態のガラスパネル１０Ａの斜視図が示されている。このガラスパネル１０Ａのように凸条部１４Ａ、凹条部１６Ａは規則性を有する必要はなく、それ自体を曲線状に形成してもよく、また、凹状部１６Ａであれば、その溝幅、溝深さを１本の凹条部１６Ａにおいて適宜変化させてもよい。これにより、デザイン性のあるガラスパネル１０Ａを提供できる。
【００３３】
図４〜図７は、実施の形態のガラスパネル１０の支持部材３０が示されている。図４は支持部材３０の構成を示した要部斜視図、図５は支持部材３０によって支持されたガラスパネル１０の隅部を示す要部正面図、図６は図５の左側面図、図７は図５のＡ−Ａ線に沿う断面図である。この支持部材３０は、図６の下地構造体（壁面であってもよい）３２に設けられた受け部材３４にガラスパネル１０を支持させるための金属製部材である。
【００３４】
支持部材３０は図４の如く、ガラスパネル１０の端部１１からガラスパネル１０の面方向に差し込まれる一対の挟持部材３６、３８から構成される。これらの挟持部材３６、３８のうち一方の挟持部材３６は、ガラスパネル１０の表面１２の凹凸状の凹条部１６に嵌合する棒状の嵌合部材であり、他方の挟持部材３８は、ガラスパネル１０の裏面１８の平坦部に当接される矩形の板状部材（当接部材）である。なお、挟持部材３８として平板状の板状部材を例示したが、ガラスパネル１０の裏面１８の形状が平坦ではなく、例えば凹凸状である場合には、その凹部に嵌合される形状の部材であればよい。
【００３５】
この挟持部材３８には、受け部材３４にピン４０を介して固定される固定部４２が挟持部材３８の面に対して直交方向に一体形成されている。また、挟持部材３８には、三角形状の連結板４４が挟持部材３８から直角に折曲されるように形成されており、この連結板４４の頂部に挟持部材３６が連結板４４の面に対して直交方向に連結されている。なお、ピン４０は受け部材３４に植設されており、固定部４２側にピン４０が嵌挿される貫通孔４６が形成されている。また、受け部材３４は図６の如く、ねじ４８及びボルト５０によって下地構造体３２に固定されている。
【００３６】
一方、挟持部材３８とガラスパネル１０の裏面１８との間には図６、図７に示すように、緩衝材である硬質ゴム５２が介在されている。これにより、挟持部材３８とガラスパネル１０の裏面１８との接触によるガラスパネル１０の損傷が防止されている。この硬質ゴム５２は、挟持部材３８の裏面側（下地構造体３２側）から螺入されるビス５４によってガラスパネル１０の裏面１８に押し付けられており、挟持部材３８とガラスパネル１０の裏面１８との間からの脱落が防止されている。なお、硬質ゴム５２を介在させることなく挟持部材３８をガラスパネル１０の裏面１８に直接当接させてもよい。また、本発明の板状部材は、挟持部材３８と硬質ゴム５２とを含むものとしてもよい。
【００３７】
図５に示すように、上下方向に配置されたガラスパネル１０、１０の各隅部には、上下のガラスパネル１０、１０の間の隙間を閉塞する板状のガスケット５６が配置される。このガスケット５６は、隣接する上下のガラスパネル１０、１０の間の隙間を閉塞するように所定の長さを有している。また、このガスケット５６は、図６の上側に配置された固定部４２の下部に折曲形成されている係合５８に係合されて前記隙間からの脱落が防止されている。
【００３８】
前記の如く構成されたガラスパネル１０の支持部材３０によれば、この支持部材３０をガラスパネル１０の端部１１からガラスパネル１０の面方向に差し込むと、一方の挟持部材３６である嵌合部材が、ガラスパネル１０の表面１２の凹凸状の凹条部１６に嵌合し、他方の挟持部材３８である板状部材が、ガラスパネル１０の裏面１８の平坦部に当接する。
【００３９】
これにより、支持部材３０は、ガラスパネル１０に対し位置ずれすることなく取り付けられる。そして、挟持部材３８に設けられている固定部４２を、下地構造体３２に設けられた受け部材３４にピン４０を介して支持させる。
【００４０】
したがって、この支持部材３０を使用することにより、ガラスパネル１０を下地構造体３２に安定して支持することができる。
【００４１】
図８は、支持部材３０Ａの他の実施の形態を示した斜視図であり、図４に示した支持部材３０と同一又は類似の部材については同一の符号を付し、その説明は省略する。
【００４２】
図８に示す支持部材３０Ａは、挟持部材３６としての棒状の嵌合部材を上下方向に２本（３本以上であってもよい）有し、これらの挟持部材３６、３６を上下に隣接する凹条部１６、１６に嵌合させたものである。この支持部材３０Ａによれば、ガラスパネル１０の自重を良好に支えることができる。
【００４３】
図９は、支持部材３０Ｂの他の実施の形態を示した斜視図であり、図４に示した支持部材３０と同一又は類似の部材については同一の符号を付し、その説明は省略する。
【００４４】
図９に示す支持部材３０Ｂは、挟持部材３６として板状のプレート６０の内側面（ガラスパネル１０に対向する側の面）に表面が円弧状の凸状嵌合部材を上下方向に２箇所（３箇所以上であってもよい）形成し、これらの挟持部材３６、３６を、ガラスパネル１０（図４参照）の上下に隣接する凹条部１６、１６に嵌合させたものである。この支持部材３０Ｂであっても、ガラスパネル１０の自重を良好に支えることができる。
【図面の簡単な説明】
【００４５】
【図１】実施の形態のガラスパネルを示した斜視図
【図２】実施の形態のガラスパネルの製造過程を示した説明図
【図３】他の実施の形態のガラスパネルを示した斜視図
【図４】実施の形態のガラスパネルの支持部材の構成を示した要部斜視図
【図５】図４の支持部材によって支持されたガラスパネルの要部正面図
【図６】図５の左側面図
【図７】図５のＡ−Ａ線に沿う断面図
【図８】支持部材の他の実施の形態を示した斜視図
【図９】支持部材の他の実施の形態を示した斜視図
【符号の説明】
【００４６】
１０…ガラスパネル、１１…ガラスパネルの端面、１２…ガラスパネルの表面、１４…凸条部、１６…凹条部、１８…ガラスパネルの裏面、２０…ガラスカレット、２２…型枠、２４…型枠の底面、２６…凸条部、２８…凹条部、３０…支持部材、３０Ａ…支持部材、３０Ｂ…支持部材、３２…下地構造体、３４…受け部材、３６…挟持部材、３８…挟持部材、４０…ピン、４２…固定部、４４…連結板、４６…貫通孔、４８…ねじ、５０…ボルト、５２…硬質ゴム、５４…ビス、５６…ガスケット、５８…係合部、６０…プレート
【図１】
2010120794.tif 000003
【図２】
2010120794.tif 000004
【図３】
2010120794.tif 000005
【図４】
2010120794.tif 000006
【図５】
2010120794.tif 000007
【図６】
2010120794.tif 000008
【図７】
2010120794.tif 000009
【図８】
2010120794.tif 000010
【図９】
2010120794.tif 000011